(57)【要約】【課題】  巻き戻り防止のために施された仮留部によるラップフィルムの係止が強固になりすぎ、次の引き出し操作の際、フィルム端部をカートン前板の係止部から剥ぎ取ることが難しくなる不具合を解消して、消費者が使いやすいラップフィルム収納用カートンを提供する。【解決手段】  前壁と底壁と後壁とが順設され、両側部を側壁で固定してなる長形の箱体の後壁上端から蓋部天板に続いて蓋部前板が延設され、該蓋部天板の両側端に蓋部側板が垂下連設され、該蓋部側板がそれぞれ前記蓋部前板に接合され、前記蓋部前板の縁片に切断刃を取り付け、前記前壁の上辺側に切断後のフィルムを係止する仮留部を設けてなるラップフィルム収納カートンであって、前記切断刃の裏面で幅方向中央近傍の切断刃あるいは切断刃に近接する部分に接着剤を塗布したことを特徴とするラップフィルム収納カートン。【選択図】        図２
2005035618.tif 000002
【特許請求の範囲】
【請求項１】
前壁と底壁と後壁とが順設され、両側部を側壁で固定してなる長形の箱体の前記後壁上辺から蓋部天板に続いて蓋部前板が延設され、該蓋部天板の両側端に蓋部側板が垂下連設され、該蓋部側板がそれぞれ前記蓋部前板に接合され、前記蓋部前板の縁片に切断刃を取り付け、前記前壁の上辺側に切断後のフィルムを係止する仮留部を設けてなるラップフィルム収納カートンであって、前記切断刃の裏面で幅方向中央近傍の切断刃あるいは切断刃に近接する部分に接着剤を塗布したことを特徴とするラップフィルム収納カートン。
【発明の詳細な説明】
【技術分野】
【０００１】
本発明は、家庭内あるいは業務用で食品包装や保存などに用いられるラップフィルムを収納するカートンに関するものである。
【背景技術】
【０００２】
食品等の保存あるいは調理のため包むのに用いられるウェブであるラップフィルムやアルミ箔は、通常、紙製丸筒にロール状に巻かれ、これを紙製カートン内に収納しており、カートンからウェブを所望する長さ引き出した後、カートンに取り付けられている鋸刃部材により切断して使用するものである。特にラップフィルムを収納するカートンにおいては、フィルムを切断したときに、残ったフィルムが巻き戻されて巻き回された状態で密着してしまい、フィルムが透明のために端部が見難く、次の使用時に掴み難いという欠点があり、この問題点の解消の為に種々の提案がされている。例えば、横長の開口部を有するカートン上部に開閉自在なヒンジ付き被せ蓋部を連設したカートンで、前板部分に表面平滑な部材や、粘着性部材あるいは架橋性硬化ニスを仮留め機能部材として配置あるいは加工するもので、ラップフィルムの自着性を利用して、切断されたフィルム端部が仮留め機能部材に仮着されることにより、巻き戻りを防止するものである。しかしながら、巻き戻り防止のために施された仮留め機能部材によるラップフィルムの係止が強固になりすぎ、次の引き出し操作の際、フィルム端部をカートン前板の係止部から剥ぎ取ることが難しくなるという欠点があり、かえってフィルム端部からの不規則な破れが発生することもあった（例えば特許文献１参照。）。
【特許文献１】特開平３−６９４４４号公報
【発明の開示】
【発明が解決しようとする課題】
【０００３】
巻き戻り防止のために施された仮留部によるラップフィルムの係止が強固になりすぎ、次の引き出し操作の際、フィルム端部をカートン前板の係止部から剥ぎ取ることが難しくなる不具合を解消して、消費者が使いやすいラップフィルム収納用カートンを提供する。
【課題を解決するための手段】
【０００４】
上記課題を解決するため、請求項１の発明は、前壁と底壁と後壁とが順設され、両側部を側壁で固定してなる長形の箱体の前記後壁上辺から蓋部天板に続いて蓋部前板が延設され、該蓋部天板の両側端に蓋部側板が垂下連設され、該蓋部側板がそれぞれ前記蓋部前板に接合され、前記蓋部前板の縁片に切断刃を取り付け、前記前壁の上辺側に切断後のフィルムを係止する仮留部を設けてなるラップフィルム収納カートンであって、前記切断刃の裏面で幅方向中央近傍の切断刃あるいは切断刃に近接する部分に接着剤を塗布したことを特徴とするラップフィルム収納カートンで、前壁の上辺側に仮留めされたラップフィルム切断端部が、切断刃の裏面で幅方向中央近傍の切断刃あるいは切断刃に近接する部分に塗布された接着剤部分に仮着されることにより、次回使用時に蓋部の開放操作とともにラップフィルム切断端部中央が持ち上げられ、掴み易くなって、切断操作をスムーズに行うことができる。
【発明の効果】
【０００５】
上述したように本発明に係るラップフィルム収納用カートンは、切断刃裏面の長手幅中央部に設けた接着剤塗布部によって、使用時における巻き戻り防止のための仮留部によるラップフィルムの係止を損なうことなく、ラップフィルム先端部の引き離し効果を得ることができ、スムーズな切断操作を行うことが出来る。
【発明を実施するための最良の形態】
【０００６】
上記本発明について、図面等を用いて以下に詳述する。
図１は本発明に係るラップフィルム収納カートンの一実施例の展開図。図２は同じく一実施例の組立および使用状態を示す斜視図である。
【０００７】
図１は本発明に係るラップフィルム収納カートンの一実施例の切断刃を取り付けたブランク裏面の展開図で、板紙等を打ち抜き加工されるカートン本体１は、折線を介して前壁２、底壁３、後壁４および蓋部天板５が順設され、前壁２の側縁側には折線を介して折り返し板８が、また蓋部天板５の側縁側には折線を介して蓋部前板６、さらに図に現れないが破断線を介して開封片７が連設されている。前記蓋部前板６の前記開封片７側の端縁には図示するように切断刃Ｋが取り付けられており、カートンの組み立て形成後、使用時に前記開封片７を破断線によって開封し取り去って、前記蓋部前板６の端縁から切断刃Ｋの刃先が出る位置に取り付けられる。
【０００８】
通常、この種ラップフィルム収納用カートンにおける切断刃は、鋸歯状の切断部を有する帯状の金属薄板が用いられ、カートンの被せ蓋部端縁の長手幅全幅にカシメ加工されて取り付けられている。従来使用されている切断刃の金属薄板表面は平滑度の低いものが使用されており、切断操作後の切断刃裏面へのラップフィルムの仮着を防止することにより、前壁に設けられた仮留部によるラップフィルムの係止を確実なものとしているが、本発明に係るラップフィルム収納用カートンにおいては、切断刃Ｋの裏面の長手幅中央部に接着剤塗布部Ｍを設けて、部分的平滑面を形成して仮着性を付与している。塗布される接着剤としては、ＥＶＡ（エチレン酢酸ビニル）あるいは合成ゴムをベースとしたホットメルト接着剤、アクリル系、酢酸ビニル系あるいは合成ゴム等一般的に用いられるエマルジョン接着剤あるいは粘着材から選定することができる。
【０００９】
前壁２、底壁３、後壁４、蓋部天板５および蓋部前板６のそれぞれの両端には、折線を介してそれぞれ補助重合板１０、１０´、側壁９、９´、重合板１１、１１´、蓋部側板１２、１２´、および蓋部貼合片１３、１３´が連設されている。側壁９、９´の長さは前壁２および後壁４の短手幅と略同寸で、本発明に係るラップフィルム収納用カートンでは特に限定されるものではないが、補助重合板１０、１０´および重合板１１、１１´の長さは側壁９、９´の長さより短く、また蓋部前板１２、１２´の長さは側壁９、９´の長さの三分の二程度とされ、さらに蓋部貼合片１３、１３´の長さは蓋部天板５の短手幅よりも短くされている。
【００１０】
前壁２の上辺側に点線で囲まれた領域は、前壁２の表面に設けられる切断後のフィルムを係止する仮留部Ｈで、ラップフィルムＦの切断時に巻き戻りを防止する為設けられる。前壁２の他の部分よりも平滑とし、ラップフィルムＦとの密着力を高くする為、例えば架橋性硬化ニスを塗布し、架橋（硬化）させることによって形成できる。本実施例では前壁２の上辺の略全幅としたが、特にこれに限定されるものではない。ラップフィルムＦの幅方向寸法によっても差異が有り、前壁２の長手幅中央に三分の二程度の幅寸法で設けることが望ましい。
【００１１】
図２は同じく本発明に係るラップフィルム収納用カートンの一実施例の組立および使用状態を示す斜視図で、底壁３から立ち起こされる前壁２および後壁４と、前記前壁２および後壁４のそれぞれの両端に連設された補助重合板１０、１０´および重合板１１、１１´が折り曲げられ重合し、これに糊着される前記底壁３の両端に連設され立ち起こされる側壁９、９´とからなる長形の箱体が形成され、前記後壁４の上辺に連設される蓋部天板５ならびに蓋部前板６が折り曲げられ、さらに前記蓋部前板６の両端に連設された蓋部貼合片１３、１３´に前記蓋部天板５の両端に連設された蓋部側板１２、１２´がそれぞれ折り曲げられ糊着されて、前記長形の箱体の開口部を覆う被せ蓋が形成されている。尚、前記蓋部前板６の側縁側に破断線を介して連設される開封片７は、開封時の引き剥がし操作により取り去られるので図示を省略する。
【００１２】
本発明に係るラップフィルム収納用カートンの使用にあたっては、先ず開封片７を引き剥がしてカートン本体１を開封し、被せ蓋部を開放してラップフィルムＦを所望量引き出した後、被せ蓋部を閉鎖するとともに蓋部前板６を押さえ、カートン本体１を押し下げ或いはラップフィルムＦを引き上げて切断操作を行う。先の切断操作後、前壁２に設けられた仮留部Ｈ（点線で囲まれた斜線部）に係止されたラップフィルムＦは、その先端中央部が切断刃Ｋの裏面の長手幅中央に設けられた接着剤塗布部Ｍに仮着された状態で、次回の使用に際して被せ蓋部が開かれるときには、図２に示すように前記仮着状態は解消されて被せ蓋部が開放されるとともに、ラップフィルムＦの先端部分が前壁２から僅かに引き離されるので掴み易くなり、引き出し操作を容易に行うことができる。
【図面の簡単な説明】
【００１３】
【図１】本発明に係るラップフィルム収納カートンの一実施例の展開図。
【図２】同じく一実施例の組立および使用状態を示す斜視図。
【符号の説明】
【００１４】
１                  カートン本体
２                  前壁
３                  底壁
４                  後壁
５                  蓋部天板
６                  蓋部前板
７                  開封片
８                  折り返し板
９、９´            側壁
１０、１０´        補助重合板
１１、１１´        重合板
１２、１２´        蓋部側板
１３、１３´        蓋部貼合片
Ｆ                  ラップフィルム
Ｈ                  仮留部
Ｋ                  切断刃
Ｍ                  接着剤塗布部
【図１】
2005035618.tif 000003
【図２】
2005035618.tif 000004